(57)【要約】      （修正有）【課題】身体に装着したままで収納物を容易に取り出すことができ、その動作もスマートに行い得る物入れを提供する。【解決手段】ズボンのベルト通しにベルトを通しながら、物入れ絵１０のベルト通し１２にもベルトを通してズボンを着用する。ベルトを完全に締めず、ベルト通し１２を曲折させてケース部１１をズボン１５の内側へ隠し、ベルトを締める。物入れ１０は衣服とズボンとの間に位置し、外部からはベルト通し１２だけが見える。収納物を出し入れするときは、若干おなかを引っ込めるなどしてズボンと衣服との間に隙間を作り、手を物入れ１０上端縁の開口１３やファスナー１６付きの開口１７へ入れ得るようにすれば、収納物を取り出したり、入れたりすることができる。【選択図】図１
0003122290.tif 000002
【実用新案登録請求の範囲】
【請求項１】
紙幣やパスポート等の収納物を入れ得るケース部と、該ケース部の一面側に設けた少なくとも一個以上のベルト通しとからなり、これらケース部とベルト通しとをそれぞれ可撓性を有する素材で形成し、前記ベルト通しにベルトを通して衣服に装着し、前記ベルト通しを曲折させて前記ケース部を前記衣服内側へ隠せるようにしてなることを特徴とする物入れ。
【請求項２】
請求項１の物入れにおいて、前記ベルト通しを、所定の間隔だけ離して一対備えることを特徴とする物入れ。
【請求項３】
請求項１または２の物入れにおいて、前記ケース部の上端縁を閉じずに開口させてなることを特徴とする物入れ。
【請求項４】
請求項１から３のいずれかの物入れにおいて、前記ケース部の内部に仕切りを設けて二分以上に区分してなることを特徴とする物入れ。
【請求項５】
請求項１から４のいずれかの物入れにおいて、前記ケース部の前記ベルト通しと反対側の面にファスナー付きの開口を設けてなることを特徴とする物入れ。
【考案の詳細な説明】
【技術分野】
【０００１】
本考案は、物入れに関し、パスポート等の貴重品を入れるのに適したものに関する。
【背景技術】
【０００２】
従来、旅行時等にパスポート等の貴重品を入れるのに適した物入れとしては、例えばひもが付いた袋状のもので首から吊るすタイプのものや、腹に巻くベルト状のもの等が良く知られており、安全性の面で優れ、盗難に遭いにくいとされている。
【考案の開示】
【考案が解決しようとする課題】
【０００３】
しかしながら上述した従来のタイプの物入れは、上着やズボン等の内側から取り出しにくい、収納物を出し入れしにくい等という問題があり、腹に巻くベルト状のものでは人前で収納物を出し入れするのは格好が悪いため、物陰などで収納、取り出しを行うはめになりやすいという問題もある。
【０００４】
本考案は、このような問題を解決し、身体に装着したままで収納物を容易に取り出すことができ、その動作もスマートに行い得る物入れを提供することを目的とする。
【課題を解決するための手段】
【０００５】
本考案の請求項１に係る物入れは、上記目的を達成するために、紙幣やパスポート等の収納物を入れ得るケース部と、該ケース部の一面側に設けた少なくとも一個以上のベルト通しとからなり、これらケース部とベルト通しとをそれぞれ可撓性を有する素材で形成し、前記ベルト通しにベルトを通して衣服に装着し、前記ベルト通しを曲折させて前記ケース部を前記衣服内側へ隠せるようにしてなることを特徴とする。
【０００６】
同請求項２に係るものは、請求項１の物入れにおいて、前記ベルト通しを、所定の間隔だけ離して一対備えることを特徴とする。
【０００７】
同請求項３に係るものは、請求項１または２の物入れにおいて、前記ケース部の上端縁を閉じずに開口させてなることを特徴とする。
【０００８】
同請求項４に係るものは、請求項１から３のいずれかの物入れにおいて、前記ケース部の内部に仕切りを設けて二分以上に区分してなることを特徴とする。
【０００９】
同請求項５に係るものは、請求項１から４のいずれかの物入れにおいて、前記ケース部の前記ベルト通しと反対側の面にファスナー付きの開口を設けてなることを特徴とする。
【考案の効果】
【００１０】
本考案の物入れは、ズボン等の内側へしまい込みやすいことはもちろん、その状態でも収納物を出し入れすることが簡単であり、また外へ完全に取り出すことも、またズボン等の内側へしまい込むのも容易であるという非常な便利なものである。
【考案を実施するための最良の形態】
【００１１】
以下本考案を実施するための最良の形態を、図に示す実施例を参照して説明する。
【実施例】
【００１２】
図１は本考案に係る物入れの一実施例を示す斜視図、図２は人体への装着状態の正面図（Ａ）と最終装着する前の断面図（Ｂ）、図３は最終的に装着した状態の断面図である。
【００１３】
この物入れ１０は、紙幣やパスポート等の収納物を入れることができるサイズのケース部１１と、ケース部１１の一面側、具体的には背面側に設けた一対のベルト通し１２、１２とから構成してある。これらケース部１１とベルト通し１２とは、それぞれ可撓性を有する素材、例えば皮革や合成樹脂素材等で形成する。なお本実施例では、収納物としては、パスポートや紙幣の他に、保険証、チケット、メモ帳等の薄目の物が適するが、本考案は収納物をこれらのものには限定しない。
【００１４】
ベルト通し１２は、後述するケース部１１の出し入れの容易性などを考慮すると、図示の実施例のように所定の間隔だけ離して一対備えることが最も望ましいが、例えば幅の広いものをケース部１１の中央位置に設けたり、３個以上設けたりすることも可能である。
【００１５】
また図示の実施例ではケース部１１の上端縁を閉じずに開口１３を形成してあり、また内部に仕切り１４を設けて二分してあり、パスポートと紙幣等とを異なる区分に収納できるようにしてある。もちろん、仕切りをさらに設けることも可能であるが、ズボン１５やスカート等の内側へ収納することになるので、あまり厚くない方が好ましく、図示の実施例のように２区分とすることが最も使い勝手が良いと思われる。
【００１６】
またケース部１１のベルト通し１２を設けた側と反対側の面には、ファスナー１６付きの開口１７を設けてある。後述するように、ケース部１１を完全に衣服１８外へ取り出すと、ケース部１１の上端縁の開口１３が下を向いてしまうので、ファスナー１６で閉じることができるようにして、こぼれ落ち易いものを入れるのに都合がよいようにしてある。
【００１７】
本実施例の物入れ１０の使用形態を説明する。まず、ズボン１５のベルト通し１９にベルト２０を通しながら、物入れ絵１０のベルト通し１２にもベルト２０を通してズボン１５を着用する。このとき、図２（Ｂ）のような状態になるが、その状態ではベルト２０を完全に締めてしまわず、ベルト通し１２を曲折させてケース部１１をズボン１５の内側へ隠し、その後にベルト２０を締める。その状態を図２（Ａ）に示す。図３では人体の表示を省略してあるが、いずれにしても物入れ１０は衣服１８とズボン１５との間に位置し、外部からは図２(Ａ)に示すように物入れ１０の構成部分としてはベルト通し１２だけが見える状態になる。
【００１８】
そして、例えばパスポート等の収納物を出し入れしたいときには、若干おなかを引っ込めるなどしてズボン１５と衣服１８との間に隙間を作り、手を物入れ１０上端縁の開口１３やファスナー１６付きの開口１７へ入れ得るようにすれば、収納物を取り出したり、入れたりすることができるようになる。従来のように、物入れ１０を体外へ出す必要がない。もちろん、図２（Ｂ）に示すように外へケース部１１を取り出して使用することもでき、状況に応じて使い分けられるので大変便利であり、しかも安全である。
【図面の簡単な説明】
【００１９】
【図１】本考案に係る物入れの一実施例を示す斜視図
【図２】人体への装着状態の正面図(Ａ)とその最終装着前の断面図（Ｂ）
【図３】最終装着状態の断面図
【符号の説明】
【００２０】
１０  物入れ
１１  ケース部
１２  ベルト通し
１３  開口
１４  仕切り
１５  ズボン
１６  ファスナー
１７  開口
１８  衣服
１９  ズボンのベルト通し
２０  ベルト
【図１】
0003122290.tif 000003
【図２】
0003122290.tif 000004
【図３】
0003122290.tif 000005